(57)【特許請求の範囲】
【請求項１】
移動端末に業者プロモーション情報を発信する方法であって、
前記移動端末から通信情報を取得するステップと、
少なくとも１つの対象業者を含むデータセットから、前記通信情報に関連付けられている対象業者を取得するステップと、
前記関連付けられている対象業者および通信補助情報に基づいて、関連付けられている業者プロモーション情報を取得するステップと、
前記業者プロモーション情報を前記移動端末にフィードバックするステップと、を含み、
前記通信情報に関連付けられている対象業者を取得するステップは、
前記データセットに含まれる対象業者から、前記通信情報と同じまたは関連する種類のデータを検索して抽出するステップと、
前記通信情報と抽出したデータとを比較し、前記通信情報を含む対象業者を取得するステップと、
前記通信情報を含む対象業者及び／又は前記通信情報を含む対象業者と同じ分類を有する対象業者を、前記通信情報に関連付けられている対象業者に決定するステップとを含むことを特徴とする方法。
【請求項２】
関連付けられている対象業者および通信補助情報に基づいて、関連付けられている業者プロモーション情報を取得するステップには、
少なくとも１つの選別種類に基づいて、関連付けられている対象業者の業者プロモーション情報から、選別種類のデータを抽出し、前記選別種類のデータと通信補助情報とを比較し、比較結果に基づいて、関連付けられている業者プロモーション情報を取得するステップと、
前記関連付けられている対象業者自身の分類または電話番号に併せて、関連付けられている業者プロモーション情報を取得し、前記関連付けられている業者プロモーション情報の所定の種類のデータには、前記関連付けられている対象業者の分類または電話番号が含まれているステップとのうち、少なくとも１つまたは複数の組み合わせを含むことを特徴とする請求項１に記載の方法。
【請求項３】
前記通信補助情報には、
前記通信情報を取得したときの時刻と、
前記通信情報を取得したときの前記移動端末の位置と、
前記移動端末の番号とのうち、１つまたは複数の組み合わせを含むことを特徴とする請求項１または２に記載の方法。
【請求項４】
選別種類のデータと通信補助情報との比較結果に基づいて、関連付けられている業者プロモーション情報を取得するステップには、
前記業者プロモーション情報における関連時間と前記通信補助情報とを比較し、両方の差が設定された時間閾値内にある場合、当該業者プロモーション情報を、関連付けられている業者プロモーション情報とするステップ、または、
前記業者プロモーション情報における関連場所と前記通信補助情報とを比較し、両方の距離の差が設定された距離閾値内にある場合、当該業者プロモーション情報を、関連付けられている業者プロモーション情報とするステップ、または、
前記業者プロモーション情報をダウンロードしたことがある移動端末番号と前記通信補助情報とが同じである場合、当該業者プロモーション情報を、関連付けられている業者プロモーション情報とするステップを含むことを特徴とする請求項３に記載の方法。
【請求項５】
選別種類のデータと通信補助情報との比較結果に基づいて、関連付けられている業者プロモーション情報を取得するステップには、
前記選別種類のデータと通信補助情報とを比較し、比較結果に基づいて、各業者プロモーション情報の異なる重みを取得するステップと、
各業者プロモーション情報に対応する総重みを計算し、総重みに基づいて前記業者プロモーション情報を整列するステップと、を含むことを特徴とする請求項２に記載の方法。
【請求項６】
各業者プロモーション情報に対応する総重みを計算するステップには、
各業者プロモーション情報の異なる選別種類に対応する重みに基づいて、加重平均の方法で各業者プロモーション情報の総重みを計算するステップを含むことを特徴とする請求項５に記載の方法。
【請求項７】
比較結果に基づいて、各業者プロモーション情報の異なる重みを取得するステップには、
各前記業者プロモーション情報のデータベースにおけるユーザ全体の総ダウンロード量に基づいて重みを取得するステップと、
各前記業者プロモーション情報の本移動端末におけるダウンロード量履歴に基づいて重みを取得するステップと、
各前記業者プロモーション情報のデータベースにおけるおすすめ係数に基づいて重みを取得するステップと、
各前記業者プロモーション情報の時間情報と現在時間点との時間間隔に基づいて重みを取得するステップと、
各前記業者プロモーション情報の場所情報と現在場所との距離に基づいて重みを取得するステップと、
移動端末におけるその他のダウンロード履歴情報に基づいて重みを取得するステップとのうち、１つまたは複数の組み合わせを含むことを特徴とする請求項５または６に記載の方法。
【請求項８】
前記通信情報には、
前記移動端末において掛けたまたは受けた電話番号と、
前記移動端末において入力または選択した電話番号と、
前記移動端末の通話履歴における電話番号と、
前記移動端末において入力した業者名称とのうち、１つまたは複数の組み合わせを含むことを特徴とする請求項１または２に記載の方法。
【請求項９】
移動端末から通信情報を取得するステップには、
通話履歴から自動的に通信情報を取得するステップを含むことを特徴とする請求項２に記載の方法。
【請求項１０】
通信情報に関連付けられている対象業者を取得するステップ、または、関連付けられている業者プロモーション情報を取得するステップ、または、業者プロモーション情報を前記移動端末にフィードバックするステップは、設定された操作によって実行させていることを特徴とする請求項１または２に記載の方法。
【請求項１１】
前記設定された操作には、
電話に掛ける操作または通話プロセスの起動と、
電話を切断する操作または通話プロセスの終了と、を含むことを特徴とする請求項１０に記載の方法。
【請求項１２】
前記業者プロモーション情報を移動端末にフィードバックするステップには、
前記通信情報の属性に基づいて、フィードバックモードをマッチングし、前記フィードバックモードにしたがって、選択または整列後の業者プロモーション情報を移動端末にフィードバックするステップを含むことを特徴とする請求項１または２に記載の方法。
【請求項１３】
前記業者プロモーション情報は、対象サービス項目であり、前記対象サービス項目には、ウェブページのリンク、または、関数の呼び出し、または、機能モジュールの入口を含むことを特徴とする請求項１に記載の方法。
【請求項１４】
前記業者プロモーション情報を移動端末にフィードバックするとき、さらに、
前記関連付けられている対象業者および／または前記通信情報とマッチングする連絡先をフィードバックするステップを含むことを特徴とする請求項１または２に記載の方法。
【請求項１５】
関連付けられている対象業者および／または通信情報とマッチングする連絡先をフィードバックするステップには、
所定の表示方法または順番で前記関連付けられている対象業者、業者プロモーション情報、連絡先を表示するステップを含むことを特徴とする請求項１４に記載の方法。
【請求項１６】
さらに、関連付けられている業者プロモーション情報または関連付けられている対象業者を選択することで、前記対象業者の電話に掛け、または、対象業者のホームページにアクセスし、または、インタラクティブ画面を表示するステップを含むことを特徴とする請求項１４に記載の方法。
【請求項１７】
さらに、データベースに前記通信情報に関連付けられている対象業者がない場合、前記通信情報を編集するようにユーザを促すステップを含むことを特徴とする請求項１に記載の方法。
【請求項１８】
通信情報を編集するようにユーザを促すステップには、さらに、
ユーザの前記通信情報に対する編集に基づいて、データベースにおいて、前記通信情報に関連付けられている対象業者を設け、または、前記通信情報に関連付けられるように、データベースに既存の対象業者を修正するステップを含むことを特徴とする請求項１７に記載の方法。
【請求項１９】
移動端末に業者プロモーション情報を発信する方法であって、
前記移動端末から通信情報を取得するステップと、
少なくとも１つの業者プロモーション情報から検索し、前記通信情報に関連付けられている業者プロモーション情報を取得し、前記関連付けられている業者プロモーション情報には、前記通信情報を含む業者プロモーション情報が含まれているステップと、
前記業者プロモーション情報を前記移動端末にフィードバックするステップと、を含み、
前記通信情報は、
前記移動端末において現在掛けている通信情報、受けている通信情報、入力している通信情報又は選択している通信情報、及び
前記移動端末の通話履歴において現在表示されている通信情報のうちの一つ又はそれらの組み合わせを含み、
前記業者プロモーション情報を前記移動端末にフィードバックするステップは、前記通信情報の属性に基づいて、前記移動端末にフィードバックする前記業者プロモーション情報の数を決定するステップを含むことを特徴とする方法。
【請求項２０】
関連付けられている業者プロモーション情報を取得するステップには、さらに、
通信補助情報を取得するステップと、
前記通信補助情報に基づいて、前記業者プロモーション情報を選別、フィルタリングまたは整列するステップと、を含むことを特徴とする請求項１９に記載の方法。
【請求項２１】
通信補助情報に基づいて業者プロモーション情報を選別、フィルタリングまたは整列するステップには、
少なくとも１つの選別種類に基づいて、前記業者プロモーション情報から、選別種類のデータを抽出し、前記選別種類のデータと前記通信補助情報とを比較し、比較結果に基づいて、前記業者プロモーション情報を選別、フィルタリングまたは整列するステップを含むことを特徴とする請求項２０に記載の方法。
【請求項２２】
選別種類のデータと通信補助情報との比較結果に基づいて、関連付けられている業者プロモーション情報を取得するステップには、
前記業者プロモーション情報における関連時間と前記通信補助情報とを比較し、両方の差が設定された時間閾値内にある場合、当該業者プロモーション情報を、関連付けられている業者プロモーション情報とするステップ、または、
前記業者プロモーション情報における関連場所と前記通信補助情報とを比較し、両方の距離の差が設定された距離閾値内にある場合、当該業者プロモーション情報を、関連付けられている業者プロモーション情報とするステップ、または、
前記業者プロモーション情報をダウンロードしたことがある移動端末番号と前記通信補助情報とが同じである場合、当該業者プロモーション情報を、関連付けられている業者プロモーション情報とするステップを含むことを特徴とする請求項２１に記載の方法。
【請求項２３】
選別種類のデータと通信補助情報との比較結果に基づいて、関連付けられている業者プロモーション情報を取得するステップには、
前記選別種類のデータと通信補助情報とを比較し、比較結果に基づいて、各業者プロモーション情報の異なる重みを取得するステップと、
各業者プロモーション情報に対応する総重みを計算し、総重みに基づいて、前記業者プロモーション情報を整列するステップと、を含むことを特徴とする請求項２１に記載の方法。
【請求項２４】
各業者プロモーション情報に対応する総重みを計算するステップには、
各業者プロモーション情報の異なる選別種類に対応する重みに基づいて、加重平均の方法で各業者プロモーション情報の総重みを計算するステップを含むことを特徴とする請求項２３に記載の方法。
【請求項２５】
比較結果に基づいて、各業者プロモーション情報の異なる重みを取得するステップには、
各前記業者プロモーション情報のデータベースにおけるユーザ全体の総ダウンロード量に基づいて重みを取得するステップと、
各前記業者プロモーション情報の本移動端末におけるダウンロード量履歴に基づいて重みを取得するステップと、
各前記業者プロモーション情報のデータベースにおけるおすすめ係数に基づいて重みを取得するステップと、
各前記業者プロモーション情報の時間情報と現在時間点との時間間隔に基づいて重みを取得するステップと、
各前記業者プロモーション情報の場所情報と現在場所との距離に基づいて重みを取得するステップと、
移動端末におけるその他のダウンロード履歴情報に基づいて重みを取得するステップとのうち、１つまたは複数の組み合わせを含むことを特徴とする請求項２３に記載の方法。
【請求項２６】
前記業者プロモーション情報は、対象サービス項目であり、前記対象サービス項目には、ウェブページリンク、または、関数呼び出し、または、機能モジュールの入口を含むことを特徴とする請求項１９に記載の方法。
【請求項２７】
前記通信補助情報は、
前記通信情報を取得したときの時刻と、
前記通信情報を取得したときの前記移動端末の位置と、
前記移動端末の番号とのうち、１つまたは複数の組み合わせを含むことを特徴とする請求項２０に記載の方法。
【請求項２８】
前記通信情報には、
前記移動端末において掛けたまたは受けた電話番号と、
前記移動端末において入力または選択した電話番号と、
前記移動端末の通話履歴における電話番号と、
前記移動端末において入力した業者名称とのうち、１つまたは複数の組み合わせを含むことを特徴とする請求項１９に記載の方法。
【請求項２９】
前記業者プロモーション情報を移動端末にフィードバックするとき、さらに、
前記通信情報とマッチングする連絡先をフィードバックするステップを含むことを特徴とする請求項１９に記載の方法。
【請求項３０】
通信情報とマッチングする連絡先をフィードバックするステップには、
所定の表示方法または順番で、前記関連付けられている対象業者、業者プロモーション情報、連絡先を表示するステップを含むことを特徴とする請求項２９に記載の方法。
【請求項３１】
移動端末から通信情報および通信補助情報を取得し、前記通信情報は、通信操作中に係る電話番号またはテキスト文字列である記録モジュールと、
前記通信情報に基づいて、前記通信情報に関連付けられている対象業者を取得し、前記関連付けられている対象業者に基づいて、前記通信情報に関連付けられている業者プロモーション情報を取得する検索モジュールと、
前記通信補助情報に基づいて、前記業者プロモーション情報を選別、フィルタリングまたは整列する選別モジュールと、
前記業者プロモーション情報を前記移動端末にフィードバックするフィードバックモジュールと、を含み、
前記検索モジュールは、
データベースに格納されている対象業者から、前記通信情報と同じまたは関連する種類のデータを検索して抽出することと、
前記通信情報と抽出したデータとを比較し、前記通信情報を含む対象業者を取得することと、
前記通信情報を含む対象業者及び／又は前記通信情報を含む対象業者と同じ分類を有する対象業者を、前記通信情報に関連付けられている対象業者に決定することとを行うように構成されることを特徴とする業者プロモーション情報処理装置。
【請求項３２】
移動端末に業者プロモーション情報を発信するシステムであって、
通信情報を提供する移動端末と、
対象業者および業者プロモーション情報を格納するデータベースと、
前記移動端末からの通信情報に基づいて、前記通信情報に関連付けられている対象業者を取得し、前記関連付けられている対象業者に基づいて、前記通信情報に関連付けられている業者プロモーション情報を取得し、前記関連付けられている業者プロモーション情報を前記移動端末にフィードバックする業者プロモーション情報処理装置と、を備え、
前記業者プロモーション情報処理装置は、
前記データベースに格納されている対象業者から、前記通信情報と同じまたは関連する種類のデータを検索して抽出することと、
前記通信情報と抽出したデータとを比較し、前記通信情報を含む対象業者を取得することと、
前記通信情報を含む対象業者及び／又は前記通信情報を含む対象業者と同じ分類を有する対象業者を、前記通信情報に関連付けられている対象業者に決定することとを行うように構成されることを特徴とするシステム。
【発明の詳細な説明】
【技術分野】
【０００１】
本発明は、情報発信分野に関し、具体的には、移動端末に業者プロモーション情報を発信する方法、装置およびシステムに関する。
【背景技術】
【０００２】
現在、モバイルインターネット（Mobile Internet）技術の発展に伴って、多くの実体業者、例えば、スターバックス、ピザハットなどは、専用の端末アプリを提供している。これらの業者専用の端末アプリによって、業者の例えば電話番号、住所のような基本情報、または近い将来に予定している共同購入、キャンペーンなどの商業プロモーションイベントの情報を取得することができる。しかしながら、これらの端末アプリが業者専用のため、普通の日常生活の需要を満たすために、通常、このような端末アプリを、移動端末に十数個または数十個でインストールする必要があり、移動端末のメモリを消費するのみならず、ユーザの検索にも不都合が生じる。
【０００３】
そこで、ある第三者、例えば、大衆点評、美団は、業者集中式のアプリを提供している。これらのアプリは、できるだけ多くの業者および業者情報を収集している。ユーザはある業者の情報がほしい場合に、業者の名称で検索することができる。しかしながら、このようなアプリにおいて、業者とユーザとは直接連絡することができず、業者はすべてのイベント情報を一括で単方向に発信するしかできず、よって、使用する公共ネットワーク資源が多くなり、業者のプロモーション効率が低下してしまう。一方、通常、ユーザは、検索結果となる業者が提供しているすべての情報を見分ける必要がある。時々、ある業者のプロモーション情報が当該業者のすべての支店に適用するわけではない。例えば、マクドナルドのキャンペーン情報は空港支店に適用できない。または、ある業者情報には時間制限があり、すべての時間帯に適用するわけではない。例えば、銭櫃（Cashbox Party）の夜食時間帯のイベント情報は、夜間零時から早朝までのみに適用できる。よって、検索の繁雑さが増え、検索効率が低下してしまう。さらに、このようなアプリは、ユーザの各種カスタマイズの検索要求を満たすことができない。例えば、ユーザは、ある業者と同じまたは類似のその他の業者の関連情報を検索しようとする場合、ユーザの前記要求を満たすアプリは当面ありません。
【０００４】
したがって、ユーザの要求を満たすとともに業者が効率よく情報を発信できるシステムおよび方法が望まれている。
【発明の概要】
【発明が解決しようとする課題】
【０００５】
従来技術における欠陥に対して、本発明の目的は、電子情報発信の正確性を向上させるとともに、使用する公共ネットワーク資源を削減する、移動端末に業者プロモーション情報を発信する方法を提供することにある。
【課題を解決するための手段】
【０００６】
本発明の１つにおいて、移動端末に業者プロモーション情報を発信する方法を提供し、移動端末から通信情報および通信補助情報を取得し、前記通信情報は、データベースにおける少なくとも１つの対象業者に関連付けられているステップと、データベースにおける対象業者から、前記通信情報に関連付けられている種類のデータを抽出し、抽出したデータと前記通信情報と比較し、比較結果に基づいて前記通信情報に関連付けられている対象業者を取得するステップと、前記通信補助情報に基づいて少なくとも１つの選別種類を決め、関連付けられている対象業者の業者プロモーション情報から選別種類のデータを抽出し、前記選別種類のデータと通信補助情報とを比較し、比較結果に基づいて前記業者プロモーション情報を選択または整列するステップと、前記選択または整列後の業者プロモーション情報を移動端末にフィードバックするステップとを含む。
【０００７】
本発明のもう１つにおいて、移動端末に業者プロモーション情報を発信する方法を提供し、移動端末から通信情報を取得し、通信情報の属性を記録し、前記通信情報は、データベースにおける少なくとも１つの対象業者に関連付けられているステップと、データベースにおける対象業者から、前記通信情報に関連付けられている種類のデータを抽出し、抽出したデータと前記通信情報と比較し、比較結果に基づいて前記通信情報に関連付けられている対象業者を取得するステップと、設定された条件に基づいて、前記関連付けられている対象業者の業者プロモーション情報を選択または整列するステップと、前記通信情報の属性に基づいて、フィードバックモードをマッチングし、前記フィードバックモードにしたがって選択または整列後の業者プロモーション情報を移動端末にフィードバックする。
【０００８】
本発明のもう１つにおいて、移動端末に業者プロモーション情報を発信するシステムを提供し、通信情報、通信補助情報を提供する移動端末と、対象業者を格納し、各前記対象業者には、少なくとも業者に関連付けられている電話番号、業者プロモーション情報を含むデータベースと、前記移動端末から通信情報および通信補助情報を取得し、前記通信情報に基づいて、前記データベースから関連付けられている対象業者を検索し、前記通信補助情報と関連付けられている対象業者における業者プロモーション情報と比較し、比較結果に基づいて前記業者プロモーション情報を選択または整列し、選択または整列後の業者プロモーション情報を移動端末にフィードバックする業者プロモーション情報処理装置と、を備える。
【０００９】
本発明のもう１つにおいて、業者プロモーション情報処理装置を提供し、移動端末から取得した通信情報および通信補助情報を記録し、前記通信情報は、データベースにおける少なくとも１つの対象業者に関連付けられている記録モジュールと、データベースにおける対象業者から、前記通信情報に関連付けられている種類のデータを抽出し、抽出したデータと前記通信情報とを比較し、比較結果に基づいて前記通信情報に関連付けられている対象業者を取得する検索モジュールと、少なくとも１つの選別種類に基づいて、関連付けられている対象業者の業者プロモーション情報から、選別種類のデータを抽出し、前記選別種類のデータと通信補助情報との比較結果に基づいて、前記業者プロモーション情報を選択または整列する選別モジュールと、前記選択または整列後の業者プロモーション情報を移動端末にフィードバックするフィードバックモジュールと、を含む。
【００１０】
本発明の１つの実施例において、移動端末に業者プロモーション情報を発信する方法を提供し、前記移動端末から通信情報を取得するステップと、少なくとも１つの対象業者を含むデータセットにおいて、前記通信情報を含む対象業者を検索して、前記通信情報に関連付けられている対象業者を取得し、前記通信情報に関連付けられている対象業者は、前記通信情報を含む対象業者であり、または、前記通信情報を含む対象業者と同じ分類を有する対象業者であるステップと、前記関連付けられている対象業者および通信補助情報に基づいて、関連付けられている業者プロモーション情報を取得するステップと、前記業者プロモーション情報を前記移動端末にフィードバックするステップと、を含む。
【００１１】
本発明の１つの実施例において、移動端末に業者プロモーション情報を発信する方法を提供し、前記移動端末から通信情報を取得するステップと、少なくとも１つの業者プロモーション情報から検索し、前記通信情報に関連付けられている業者プロモーション情報を取得し、前記関連付けられている業者プロモーション情報には、前記通信情報を含む業者プロモーション情報が含まれているステップと、前記業者プロモーション情報を前記移動端末にフィードバックするステップと、を含む。
【００１２】
本発明の１つの実施例において、業者プロモーション情報処理装置を提供し、移動端末から通信情報および通信補助情報を取得し、前記通信情報は、通信操作中に係る電話番号またはテキスト文字列である記録モジュールと、前記通信情報に基づいて、前記通信情報に関連付けられている対象業者または業者プロモーション情報を取得し、前記関連付けられている対象業者または関連付けられている業者プロモーション情報には、前記通信情報を含む検索モジュールと、前記通信補助情報に基づいて、前記業者プロモーション情報を選別、フィルタリングまたは整列する選別モジュールと、前記業者プロモーション情報を前記移動端末にフィードバックするフィードバックモジュールと、を含む。
【００１３】
本発明の１つの実施例において、移動端末に業者プロモーション情報を発信するシステムを提供し、通信情報を提供する移動端末と、対象業者および業者プロモーション情報を格納するデータベースと、前記移動端末からの通信情報に基づいて、前記データベースから検索し、前記通信情報に関連付けられている業者プロモーション情報を取得し、前記関連付けられている業者プロモーション情報を前記移動端末にフィードバックし、前記業者プロモーション情報には、前記通信情報が含まれている業者プロモーション情報処理装置と、を備える。
【００１４】
従来技術に比べて、本発明は、ユーザが掛けているまたは受けている業者の電話番号、または、掛けていたまたは受けていた業者の電話番号を有効に活用し、当該電話番号に関連する業者プロモーション情報を的確に発信し、業者プロモーション情報発信の正確性を向上させた。また、ユーザの観点から、操作の複雑さを増やさず、検索およびダウンロード効率を大幅に向上させた。
【００１５】
一方、本発明は、ユーザが移動端末を利用して通話するときのさまざまなシーンを考慮し、異なる複数のフィードバックモードを設定し、対応する表示方法および表示個数で業者プロモーション情報をフィードバックし、ユーザに迅速に業者プロモーション情報を取得させることができるとともに、ユーザの日常使用に対する不都合が一切なく、ユーザが業者との通話と同時に関連する情報を簡単に取得できる。
【図面の簡単な説明】
【００１６】
以下の図面に基づく非限定的な実施例の説明を参照することで、本発明のその他の特徴、目的およびメリットがより一層明らかになる。
【図１】本発明に係る移動端末に業者プロモーション情報を発信するシステムの実施形態を示すブロック図である。
【図２】本発明に係る移動端末に業者プロモーション情報を発信するシステムにおけるデータベースの実施形態を示す構造模式図である。
【図３】本発明に係る移動端末に業者プロモーション情報を発信する方法によって業者プロモーション情報を移動端末にフィードバックする実施例を示す画面模式図である。
【図４】本発明に係る移動端末に業者プロモーション情報を発信する方法によって業者プロモーション情報を移動端末にフィードバックする別の実施例を示す画面模式図である。
【図５】本発明に係る移動端末に業者プロモーション情報を発信する方法によって業者プロモーション情報を移動端末にフィードバックする別の実施例を示す画面模式図である。
【図６】本発明に係る移動端末に業者プロモーション情報を発信する方法の実施形態を示すフローチャットである。
【図７】本発明に係る業者プロモーション情報処理装置の実施形態を示す構造模式図である。
【図８】本発明に係る移動端末に業者プロモーション情報を発信する方法の実施形態において、業者プロモーション情報における電話番号に掛ける場合のフローチャットである。
【図９】本発明に係る業者プロモーション情報処理装置が業者プロモーション情報を取得する実施例を示す画面模式図である。
【図１０】本発明に係る業者プロモーション情報処理装置が業者プロモーション情報を取得する別の実施例を示す画面模式図である。
【図１１】本発明に係る業者プロモーション情報処理装置が業者プロモーション情報を取得する別の実施例を示す画面模式図である。
【図１２】本発明に係る移動端末に業者プロモーション情報を発信する方法のその他の実施形態を示すフローチャットである。
【図１３】本発明に係る移動端末に業者プロモーション情報を発信する方法のその他の実施形態を示すフローチャットである。
【発明を実施するための形態】
【００１７】
以下、図面に基づいて、本発明に係る移動端末に業者プロモーション情報を発信する実施形態を説明する。なお、業者プロモーション情報は、業者の紹介、ニュース、業者の電子割引券、業者の広告、業者のアンケート、業者の購入リンク、業者のサービス入口などであるが、それらに限定されない。
【００１８】
図１は、本発明に係る移動端末に業者プロモーション情報を発信する方法の応用シーンを示す模式図である。具体的には、ユーザが移動端末１１０で通信関連の操作を行うと、通信操作に係る電話番号やテキスト文字列が、通信情報として業者プロモーション情報処理装置１２０に伝送される。業者プロモーション情報処理装置１２０は、これらの通信情報に基づいて、データベース１３０を検索し、これらの通信情報に関連する業者のプロモーション情報を取得し、通信補助情報を参照してプロモーション情報をフィルタリングおよび整列し、前記通信情報の属性に基づいてフィードバックモードをマッチングし、前記プロモーション情報を所定のフィードバックモードで移動端末においてユーザに提示する。本発明の実施形態において、業者プロモーション情報処理装置１２０とデータベース１３０とは、サーバ側に配置されている。また、その他の実施形態において、業者プロモーション情報処理装置１２０は、移動端末１１０に配置され、データベース１３０はサーバ側に配置されている。また、その他の実施形態において、業者プロモーション情報処理装置１２０および／またはデータベース１３０は、移動端末１１０に配置されている部分と、サーバ側に配置されている部分とを含む。ここで、前記移動端末に配置されている部分とサーバ側に配置されている部分とは、ＷＩＦＩ、ＣＤＭＡ、ＴＤＭＡ、ＷｉＭＡＸ、ＬＴＥ、ＮｏＬＡのうち少なくとも１つまたはその他のネットワーク技術で相互通信を行う。
【００１９】
ある実施形態において、具体的には、業者プロモーション情報処理装置１２０は、移動端末１１０の通話プロセスパラメーターを検出し、通信情報を取得する。例えば、ユーザが移動端末１１０に好楽適（HAOLEDI）の電話番号を入力すると、または好楽適と通信を行っていると、業者プロモーション情報処理装置１２０は、移動端末１１０の通話プロセスパラメーターを検出することで、例えば、アンドロイド（Android）プラットフォームにおいて、インターフェース関数TelephonyManagerまたは関数PhoneStateListenerによって、現在掛けている電話番号「１２３４５６７８」を取得する。ここで、通信情報は、ユーザが現在入力または通話している業者の電話番号であってもよいし、ユーザが現在受けている業者の電話番号であってもよいし、移動端末の通話履歴にある業者の電話番号であってもよいし、移動端末のある業者の詳細画面に表示されている業者の電話番号であってもよい。ある実施形態において、業者プロモーション情報処理装置１２０は、ユーザの入力を検出し、ユーザが入力しているシーケンスに基づいてテキスト／数字の文字列を解析して取得し、当該テキスト／数字の文字列を通信情報とする。
【００２０】
これらの通信情報は、データベース１３０にあるすくなくとも１つの対象業者に関連付けられている。例えば、番号「１２３４５６７８」は、データベース１３０にある対象業者好楽適に関連付けられている。図２に示すように、データベース１３０には、多くの対象業者が格納されている。ここで、各対象業者は、業者名称、業者電話番号、業者プロモーション情報、分類のうち少なくとも１つの種類データを有する。さらに、各種類データには、サブ種類データを備えてもよい。例えば、業者名称には、フルネーム、略称、キーワードなどのうち１つまたは複数のサブ種類データを含んでもよいし、業者電話番号には、代表番号、支店番号、購入番号、アフタサービス番号などのうち１つまたは複数のサブ種類データを含んでもよいし、業者プロモーション情報には、住所、時間、内容、当該業者プロモーション情報をダウンロンドしたまたは利用した移動端末番号、ダウンロード回数、利用回数、関連項目などのうち１つまたは複数のサブ種類データを含んでもよい。
【００２１】
ここで、業者プロモーション情報には、例えば、業者のニュース、業者の電子割引券、業者の広告、業者の購入リンクなどの静的画面リンクまたは対象サービス項目を含んでもよいし、例えば、業者のアンケート、業者のサービス入口、業者サービス情報メニューなどの対象サービス項目を含んでもよい。ある実施形態において、当該対象サービス項目は、ユーザの操作を取得することができる。例えば、当該対象をクリックするまたはその他の設定された操作キーをクリックすることで、当該対象を起動する。当該対象には、さらに、ウェブページのリンクまたは関数の呼び出しまたは機能モジュールの入口を含んでもよい。ユーザの操作を取得すると、当該起動操作に基づいて、対応するウェブページのリンクにアクセスし、または、対応する関数を呼び出し、または対応する機能モジュールを実行させ、例えば、コールを実行させ、または、インタラクティブなページまたはダイアログをポップアップする。当該対象は、インターネットによってリアルで取得されてもよいし、ＪＳＯＮ、ＸＭＬなどのデータフォーマットでサーバ側またはローカル移動端末に保存されてもよいし、インターネットからローカル移動端末にダウンロードされてもよい。
【００２２】
１つの対象業者は、複数の業者プロモーション情報に関連付けられてもよい。これらの業者プロモーション情報は、業者プロモーション情報処理装置１２０によって主動的に取得してもよいし、業者によって自ら提供してもよいし、第三者データエンジンによって提供してもよい。取得した業者プロモーション情報は、データベース１３０に保存してもよいし、部分的にローカル移動端末にダウンロードしてもよい。さらに、業者は、業者プロモーション情報の正確性および迅速性を保つために、提供された業者プロモーション情報を編集および管理することができる。ある実施形態において、データベース１３０には前記通信情報に関連付けられている対象業者がない場合、前記通信情報を編集するようにユーザに通知してもよい。ユーザの前記通信情報に対する編集に基づいて、データベース１３０に前記通信情報に関連付けられる対象業者を作成し、または、前記通信情報と関連付けるように、データベースにある対象業者を修正してもよい。
【００２３】
そして、業者プロモーション情報処理装置１２０は、データベースにおける前記通信情報と同様または類似する種類のデータを取出し、前記通信情報と比較して、関連する対象業者を決定する。例えば、通信情報としての番号の文字列「１２３４５６７８」を取得した後、当該通信情報の種類が電話番号であるので、業者プロモーション情報処理装置１２０は、データベースにおける各対象業者における電話番号を抽出して、抽出した番号の文字列と、当該種類の各データと比較して、関連する対象業者を取得する。例えば、比較結果に基づいて、対象業者「好楽適」の電話番号種類のデータが当該番号の文字列と同様であるか当該番号の文字列を含む場合、好楽適は、当該番号に関連付けられている対象業者である。
【００２４】
その他の実施例において、好楽適と同じ分類に属するその他の対象業者、例えば、麦楽適、銭櫃などは、当該番号に関連付けられる対象業者であってもよい。この場合、ユーザが好楽適に限定することなく１つのＫＴＶを見つければよいことを考慮して、当該番号に完全に対応する業者プロモーション情報のみをユーザに提供することと比べて、本発明は、ユーザにより柔軟及び多様な選択肢を与え、ユーザが大量の電話番号を記憶または保存しなくてもよく、操作の繁雑性を減らせ、格納スペースを省き、ユーザ体験を良化させた。
【００２５】
ここで、対象業者の分類は、システムによって設定してもよいし、ユーザが自身の要求に基づいて設定してもよい。具体的には、対象業者の分類の種類は、さらに、デフォルト分類、ユーザ分類のうち少なくとも１つのサブ種類データを含む。具体的な実施形態において、編集および修正の利便性を考慮して、対象業者の各分類に対して、対応するコード（例えば、数字コードまたはアルファベットコード）によって識別することができる。ここで、デフォルト分類はシステムによって設定する。例えば、デフォルト分類には、営業範囲（例えば、飲食店Ａ０００１、居酒屋Ａ００１０、ＫＴＶＡ００１１、銀行Ｂ０００１、証券Ｂ００１０、運送Ｃ００１０、４Ｓ店Ｄ０００１、ホテルＥ０００１、旅行Ｅ００１０、飛行機Ｅ００１１、代わり運転Ｅ０１００、チャージＦ０００１、病院受付Ｇ０００１、映画Ｈ０００１など）、営業内容（例えば、四川料理ａａ００１、広東料理ａａ０１０、洋食ａａ０１１、デザートａａ１００、中古車ｄａ００１など）などのうち少なくとも１つのサブ種類データを含んでもよい。ユーザは、ユーザ分類を編集し、ユーザ分類のサブ種類または全体のユーザ分類を追加、修正または削除することができる。例えば、ユーザ分類には、応用時間ｕｆｔ（例えば、営業時間ｕｆｔ０１、上演回時間ｕｆｔ０２など）、応用場所ｕｆｌ、パーティーｕｆ−ｐａｒｔｙ、アフタヌーンティーｕｆ−ｔｅａなどのサブ種類を含んでもよい。ある実施形態において、業者プロモーション情報処理装置１２０は、ユーザが実際に当該対象業者を各異なる分類として使用した状況を分析して、当該対象業者分類種類のデータを追加、削除または修正することができる。ある実施形態において、対象業者同士の分類コードを計算することで、同じ分類に属するかを判断する。
【００２６】
そして、業者プロモーション処理装置１２０は、当該電話番号「１２３４５６７８」に基づいて、データベース１３０における関連する対象業者から、関連する業者プロモーション情報を取得する。例えば、図９に示すように、業者プロモーション情報処理装置１２０は、当該通信情報に基づいて、関連する対象業者（例えば、好楽適）を決定し、当該対象業者に関連付けられている業者プロモーション情報（例えば、好楽適の各支店の各時間帯におけるキャンペーン情報）を取得する。また、例えば、図１０に示すように、業者プロモーション情報処理装置１２０は、通信情報に基づいて、関連する対象業者（例えば、円通運送）を決定し、当該対象業者に関連付けられている業者プロモーション情報（例えば、サービス入口「荷物発送」、「履歴追跡」、サービス情報メニュー「近くの配送員」など）を取得する。
【００２７】
通常、１つの対象業者が、複数の業者プロモーション情報に対応し、かつ、このようなプロモーション情報が、不定期的に大量に発信するので、関連する対象業者のすべての業者プロモーション情報を一括でユーザに発送してしまうと、情報伝送のデータ量が増えるだけではなく、ほとんどのデータがユーザにとって無用なものである。
【００２８】
本発明のある実施形態において、業者プロモーション情報処理装置１２０は、当該移動端末の通信補助情報（例えば、現在通話時間、現在通話場所、当該移動端末におけるダウンロード履歴、当該移動端末における利用履歴またはその他の通信と関連する補助情報）に基づいて、関連する対象業者の業者プロモーション情報（例えば、好楽適の各支店のキャンペーン情報）を選別およびフィルタリングする。
【００２９】
ある実施形態において、具体的には、前記業者プロモーション情報のうち、通信補助情報と同じまたは類似する選別種類のデータを抽出し、通信補助情報と一つずつ比較し、選別およびフィルタリングを実行してもよい。好楽適を一例として挙げると、例えば、対象業者「好楽適」に関連付けられている業者プロモーション情報（例えば、好楽適の各支店のキャンペーン情報）のうち、同じまたは類似する選別種類のデータ（例えば、キャンペーン時間、場所、支店名称）を抽出し、これらの同じまたは類似する選別種類のデータと対応する通信補助情報と比較することで、現在通話時間と最も近いキャンペーン情報、または、現在通話場所と最も近い関連する支店のキャンペーン情報、または、当該移動端末においてダウンロードしたことがある関連する支店のキャンペーン情報を選択し、または、好楽適の各支店のキャンペーン情報を設定された順番で整列する。１つの実施例において、抽出したデータと通信補助情報との差を計算し、当該差を設定された閾値と比較する。別の実施例において、抽出したデータと通信補助情報との比較結果に基づいて、対応する業者プロモーション情報の重みを取得し、対応する重みを計算することで、選別およびフィルタリングを実行する。
【００３０】
ある実施形態において、業者プロモーション情報処理装置１２０は、当該対象業者自身の分類に基づいて、関連する業者プロモーション情報を取得する。ここで、前記関連する業者プロモーション情報は、対象サービス項目であってもよい。例えば、図１０に示すように、ユーザがある運送会社の電話番号を入力すると、業者プロモーション情報処理装置１２０は、入力された電話番号に基づいて、関連する対象業者を取得し、そして、当該関連する対象業者の分類（すなわち「運送」）に基づいて、関連する業者プロモーション情報（サービス入口「履歴追跡」、「荷物発送」を含む）を取得する。ここで、これらの関連する業者プロモーション情報の関連項目のサブ種類データには、「運送」を含んでもよい。そして、業者プロモーション情報処理装置１２０は、さらに、現在通話場所に基づいて、現在通話場所付近のサービス情報メニュー「近くの配送員」を取得する。また、例えば、図１１に示すように、ユーザがダイヤルでヒルトンホテルの電話番号を入力すると、業者プロモーション情報処理装置１２０は、ユーザが当該番号で接続する前に、ユーザが入力した文字列に基づいて、関連する対象業者「ヒルトン」を検出する。そして、業者プロモーション情報処理装置１２０は、当該関連する対象業者の名称などに基づいて、関連する業者プロモーション情報を取得する。ここで、これらの関連する業者プロモーション情報は、例えば、当該対象業者「ヒルトン」の各支店のキャンペーン情報や、当該業者「ヒルトン」の部屋紹介など、その関連項目のサブ種類データに「ヒルトン」が含まれているものや、その関連項目のサブ種類データにユーザが入力した文字列が含まれているものや、その関連項目のサブ種類データに対象業者「ヒルトン」が属する分類「ホテル」、「旅行」、「出張」などが含まれているものなどであってもよい。また、業者プロモーション情報処理装置１２０は、当該関連する対象業者の分類または電話番号などに基づいて、例えば、ヒルトンホテルのホームページリンク、サービス入口「ホテルを予約する」、サービス入口「タクシーを呼び」、サービス入口「レンタカー」、サービス入口「代わり運転」、サービス入口「フライトスケジュール検索」、サービス情報メニュー「近くの駐車場」、サービス情報メニュー「列車時刻」など、関連する業者プロモーション情報を取得する。そして、業者プロモーション情報処理装置１２０は、現在の通信時間、現在の通信場所、ダウンロード履歴、利用履歴などに基づいて、フィルタリングを実行し、フィルタリング後の結果をリスト形式で現在の入力画面に表示させる。当該対象業者自身の分類に併せて、ユーザに、対象業者に関連付けられている対象サービス項目を提供することで、ユーザが、電話接続する前に、直接サービス入口などの対象サービス項目によって、対象業者に関連する操作を行える。よって、通話の回数を減らし、コミュニケーションコストを低減し、効率を向上した。
【００３１】
ある実施形態において、業者プロモーション情報処理装置１２０は、関連する対象業者のその他の種類データに基づいて、関連する業者プロモーション情報を取得してもよい。例えば、通信情報を取得した後、当該通信情報と対象業者の電話番号とをマッチングし、関連する対象業者を取得する。また、これらの関連する対象業者に基づいて、対応する業者プロモーション情報を取得する。そして、対象業者の電話番号に基づいて検索し、関連する業者プロモーション情報を取得する。ここで、これらの関連する業者プロモーション情報の関連項目サブ種類データには、当該対象業者の電話番号を含んでもよい。
【００３２】
ある実施形態において、業者プロモーション情報処理装置１２０は、取得した通信情報に基づいて、関連する業者プロモーション情報を直接検索してもよい。ここで、これらの関連する業者プロモーション情報の関連項目サブ種類データには、当該取得した通信情報を含んでもよい。
【００３３】
そして、業者プロモーション情報処理装置１２０は、通信情報の属性を検出し、または、通信情報を取得するときに記録された通信情報の属性に基づいて、対応するフィードバックモードをマッチングする。前記通信情報の属性は、例えば、当該電話番号が進行中の通話プロセスから取得されたという情報、または、当該電話番号が連絡先詳細から取得されたという情報、または、当該電話番号が通話履歴から取得されたという情報、または、当該電話番号がユーザの入力している内容から取得されたという情報である。具体的には、視覚または聴覚などの方法で業者プロモーション情報をフィードバックしてもよい。例えば、図３に示すように、メッセージボックスをポップアップする方法で現在の通話画面に表示させ、または、図４に示すように、メニューまたはリストで通話履歴リストにおける対応の項目の下方または連絡先詳細画面に表示させ、または、図５に示すように、角標識またはその他の表示標識で通話履歴リストにおける対応する項目の一方側に表示させ、また、図１０に示すように、ユーザが電話番号を入力し且つ接続する前に、または、ユーザが通話キーを押したとき、メニューまたはリストで現在の入力画面に表示させる。なお、通話プロセス終了の切断画面に表示させてもよい（図示せず）。表示標識でマークされた項目が選択された場合、さらにその詳細な業者プロモーション情報を表示してもよいし、または、サービス入口によって対応するサービス画面にアクセスしてもよい。また、音声放送または警告音などのマルチメディア手段によって業者プロモーション情報をフィードバックしてもよい。
【００３４】
本発明に係る業者プロモーション情報処理装置のその他の実施形態において、対応する業者プロモーション情報は、第三者データエンジンによって提供してもよい。例えば、図１２のサービス入口「ホテルを予約する」は、シートリップ（Ctrip）ホテル予約サイトに提供され、ユーザが選択したとき、サービス入口がシートリップホテル予約サイトのホテル予約画面に接続する。
【００３５】
ある実施形態において、業者プロモーション情報処理装置１２０は、さらに、関連する対象業者を同時に表示することができる。当該対象業者では、ユーザのクリックまたはその他の操作を取得し、ユーザの操作に基づいて、対象業者の電話番号につながる指令や、対象業者のホームページを開く指令や、対象業者が指定したヒューマンコンピュータインタラクション画面にアクセスする指令などを実行させてもよい。ある実施例において、前記対象業者は、集中的に表示させることができる。例えば、すべての対象業者は、前記業者プロモーション情報に優先して表示してもよいし、または、前記対象業者は、関連する業者プロモーション情報と対応して表示してもよい。
【００３６】
ある実施形態において、さらに、ユーザが入力した内容とマッチングする連絡先があるとき、業者プロモーション情報処理装置１２０は、マッチングする連絡先を同時に表示してもよい。ここで、連絡先は、対象業者または業者プロモーション情報よりも優先して表示してもよい。
【００３７】
ある実施形態において、対象業者または連絡先またはその両方を、業者プロモーション情報と同時に表示する場合、業者プロモーション情報処理装置１２０は、所定の表示方法で表示してもよい。例えば、分割線によって表示項目を分割してもよいし、異なるフォント、カラー、書式で対象業者または連絡先または業者プロモーション情報を表示してもよい。
【００３８】
以下、本発明に係る業者プロモーション情報処理装置の具体的実施形態に基づいて、移動端末に業者プロモーション情報を発信する流れについて例示しながら説明する。
【００３９】
ここで、図６は、本発明に係る移動端末に業者プロモーション情報を発信する方法の１つの実施形態を示すフローチャートであり、図７は、本発明に係る業者プロモーション情報処理装置の１つの実施形態の構造模式図である。図７に基づいて前記方法を説明する。具体的には、前記方法は、以下のステップを含む。
【００４０】
ステップＳ１において、通信情報を取得する。前記通信情報は、データベースにおける少なくとも１つの対象業者に関連付けられている。
【００４１】
具体的には、記録モジュール２０１は、移動端末の通話プロセスに関するパラメーターを検出する。例えば、ユーザが電話番号を入力するまたは電話番号の詳細を閲覧するとき、記録モジュール２０１は、ユーザが現在滞在する画面を取得し、ユーザの操作を検出して、現在ユーザが注目している業者電話番号を取得する。また、例えば、ユーザが電話を受け取るまたは掛けるとき、記録モジュール２０１は、現在通話プロセスに関するパラメーターを受信し、通話プロセスにおける業者電話番号を取得する。また、例えば、ユーザが番号検索画面において業者名称を検索するとき、記録モジュール２０１は、ユーザが入力した検索名称を記録する。また、例えば、記録モジュール２０１は、ユーザが現在入力している文字列を検出記録し、現在のキーボードレイアウトによって、当該入力している文字列を、対応する数字またはテキストに解析する。
【００４２】
ここで、前記通信情報は、通信操作における電話番号またはテキストの文字列である。ある実施形態において、前記通信情報は、電話番号であってもよい。例えば、ユーザが入力している一部または全部の電話番号、または、通話履歴における１つまたは複数の番号、または現在通話中のある電話番号、または、ユーザが閲覧している連絡先の番号などが含まれている。ステップＳ１において、通信情報の取得は、ユーザの操作によって呼び出されてもよいし、業者プロモーション情報処理装置によって主動的に行われてもよい。例えば、記録モジュール２０１は、通話履歴から自動的に通信情報を取得し、本発明に係る移動端末に業者プロモーション情報を発信する方法に基づいて、対応する業者プロモーション情報を取得してもよい。さらに、記録モジュール２０１は、システム設定またはユーザ設定に基づいて、予め設定された時間間隔において、通話履歴に基づいて、取得した通信情報を更新し、取得した業者プロモーション情報を更新してもよい。
【００４３】
また、ステップＳ１には、通信補助情報を取得することを含んでもよい。ある実施形態において、記録モジュール２０１は、通信情報を取得するときの通信補助情報を記録してもよい。ここで、通信補助情報は、前記通信情報を取得するときの時刻、前記通信情報を取得するときの前記移動端末の位置、前記移動端末の番号などを含んでもよい。ある実施形態において、通信補助情報の取得および前記通信情報の取得は同時に行われてもよい。例えば、通信情報を取得するとき、当該通信情報を取得する時刻または場所を記録する。また、通信補助情報の取得および前記通信情報の取得は非同時に行われてもよい。例えば、まず通信情報を取得し、前記通信情報に基づいて後の操作を行い、通信補助情報（例えば、当該移動端末の番号）が必要な場合、前記通信補助情報を取得する。
【００４４】
ステップＳ２において、対象業者から、前記通信情報に関連する種類のデータを抽出し、抽出したデータと前記通信情報とを比較し、比較結果に基づいて前記通信情報に関連付けられている対象業者を取得する。ここで、前記通信情報に関連付けられている対象業者は、１つまたは複数である。
【００４５】
具体的には、各対象業者は、業者名称、業者電話番号、業者プロモーション情報、分類のうち少なくとも１つを含んでもよい。さらに、各種類には、サブ種類データを含んでもよい。ここで、業者プロモーション情報には、例えば、業者のニュース、業者の電子割引券、業者の広告、業者の購入リンクなどの静的画面リンクが含まれてもよいし、例えば、業者のアンケート、業者のサービス入口、業者サービス情報メニューなどの対象サービス項目が含まれてもよい。１つの対象業者は、複数の業者プロモーション情報に関連付けてもよい。これらの業者プロモーション情報は、業者プロモーション情報処理装置１２０によって取得および管理してもよい。例えば、業者プロモーション情報処理装置１２０は、当該対象業者のニュース、広告を取得し、または、サービス入口を設置して管理してもよい。また、業者は主動的に発信および管理をしてもよい。例えば、業者は、自身で割引券や、アンケートや、サービス入口を発信、追加、削除または修正してもよい。また、第三者データエンジンによって対象業者の業者プロモーション情報を提供してもよい。例えば、ユーザがあるホテルの電話に掛けるとき、ホテル予約サービスなどのサービス入口を提供し、シートリップなどのホテル予約サイトに接続するホテル予約画面を表示してもよい。または、例えば、ユーザがある映画館の電話番号を入力しているとき、映画チケット価格比較などのサービス入口を提供し、ユーザに格瓦拉（Gewara）などのチケット購入サイトにアクセスする価格比較画面を提供してもよい。
【００４６】
具体的には、検索モジュール２０２は、記録モジュール２０１に記録された通信情報に基づいて、関連する種類のデータを抽出する。ここで、検索モジュール２０２は、前記通信情報と同じ種類のデータを抽出してもよい。例えば、通信情報が電話番号である場合、検索モジュール２０２は、データベースから、各対象業者の、種類が電話番号のデータを抽出する。また、通信情報が業者名称である場合、検索モジュール２０２は、データベースから、各対象業者の、種類が業者名称のデータを抽出する。また、例えば、検索モジュール２０２は、前記通信情報に関連する種類のデータを抽出してもよい。例えば、記録モジュール２０１がユーザの入力した文字列を数字の文字列に解析したとき、検索モジュール２０２は、対象業者の電話番号種類から検索するだけではなく、同時に、入力した文字列に基づいて、対象業者の業者名称種類から検索する。
【００４７】
係る種類のデータを取得すると、検索モジュール２０２は、これを通信情報と比較する。対応する種類のデータが通信情報と一致する場合、当該データに対応する対象業者は当該通信情報に関連付ける対象業者である。または、当該種類のデータが通信情報と一致する場合、当該データに対応する対象業者と同じ分類を有する対象業者は当該通信情報に関連付ける対象業者である。
【００４８】
ここで、前記同じ分類は、デフォルトで設定された分類であってもよい。例えば、レストラン「辛い誘惑」および「渝信四川料理」に対応する分類種類には四川料理レストランが含まれ、ユーザが「辛い誘惑」の予約電話に掛けるとき、「渝信四川料理」は関連する対象業者としてちょうどキャンペーンがあり、その業者プロモーション情報もユーザに送られる。
【００４９】
前記同じ分類は、ユーザによって主動的に追加または修正した分類であってもよい。例えば、ユーザが車を購入したい場合、関連する車販売店の電話をＡ分類に一括で管理する。ユーザがＢＭＷの電話で問い合わせをしたが、現時点でＢＭＷの４Ｓ店にキャンペーンがなく、メルセデス・ベンツの４Ｓ店に現時点でちょうどキャンペーンがあり、そして、ユーザがメルセデス・ベンツの電話に掛けたことがなくても、メルセデス・ベンツのプロモーション情報がユーザの携帯に送られ、よって、ユーザにはより多くの選択肢が挙げられる。
【００５０】
ステップＳ２において、その他の実施形態では、検索モジュール２０２は、通信情報に基づいて対象業者の各種類データから検索する。例えば、通信情報を対象業者の各種類データと比較して、対応する比較結果を取得する。
【００５１】
ステップＳ３において、関連する対象業者を決定すると、通信補助情報に基づいて、少なくとも１つの選別種類を決定し、関連する対象業者の業者プロモーション情報から選別種類データを抽出し、前記選別種類データを通信補助情報と比較し、比較結果に基づいて、前記業者プロモーション情報を選択または整列する。
【００５２】
具体的には、選別モジュール２０３は、記録モジュール２０１に記録された通信補助情報に基づいて、１つまたは複数の選別種類を選択し、関連する対象業者の業者プロモーション情報から、対応する選別種類データを抽出し、これらの選別種類におけるデータを通信補助情報と比較して、当該業者プロモーション情報を選択するかを決め、または、業者プロモーション情報を整列する。ここで、通信補助情報は、現在通信時刻、現在通信場所、現在移動端末の番号であってもよい。前記選別種類は、通信補助情報と同じ種類であってもよいし、通信補助情報と同じ種類以外の１つまたは複数のその他の種類を含んでもよい。
【００５３】
例えば、移動端末ユーザが「４００８−１１１−１１１」に掛けることを監視し、記録モジュール２０１は、当該通信情報（例えば、電話番号「４００８−１１１−１１１」）を記録する。また、対応する通信補助情報を検出する。例えば、ユーザが現在掛けている電話の所在地は「ハルビン」である。記録モジュール２０１に記録されたデータに基づいて、検索モジュール２０２は、当該番号に関連する対象業者が「順豊運送」であることを検出する。そして、選別モジュール２０３は、当該対象業者「順豊運送」に対応する場所「ハルビン」の業者プロモーション情報（例えば、キャンペーン「ハルビン路線荷物配送時間削減」）を検索し、当該プロモーション情報を選択する。
【００５４】
また、例えば、ユーザが好楽適電話「１２３４５６７８」に掛けたときは午後３時である場合、まず、記録モジュール２０１は、好楽適電話および電話に掛けた時刻を記録する。検索モジュール２０２は、当該番号に関連する対象業者は好楽適であることを検出する。そして、選別モジュール２０３は、好楽適に対応する業者プロモーション情報の中から、通信補助情報に基づいて、その業者プロモーション情報を選択または整列する。ここで、通信補助情報は、現在通信時刻、すなわち午後３時であってもよい。
【００５５】
具体的には、通信補助情報は現在通信時刻であり、選別種類は時刻である。選別モジュール２０３は、当該対象業者の業者プロモーション情報から、選別種類が時刻のデータを抽出する。例えば、好楽適の対象業者は、複数の割引券があり、これらの業者プロモーション情報は、時刻のサブ種類によって分類され、それぞれ「楽しく歌う午前（０８：００−１１：００）」、「ハッピー午後（１４：００−１８：００）」、「賑やか晩（１８：００−２２：００）」、「盛り上がる夜中（２２：００−０２：００）」のカテゴリがある。これらの業者プロモーション情報から、適用時刻、すなわち、０８：００−１１：００、１４：００−１８：００、１８：００−２２：００、２２：００−０２：００を抽出する。現在通信時刻は１５：００であるため、０８：００−１１：００のキャンペーンの適用ができないが、１４：００−１８：００、１８：００−２２：００、２２：００−０２：００が適用可能である。よって、「ハッピー午後（１４：００−１８：００）」、「賑やか晩（１８：００−２２：００）」、「盛り上がる夜中（２２：００−０２：００）」というカテゴリに属する業者プロモーション情報すべてを選択可能である。
【００５６】
ここで、選別モジュール２０３は、関連する対象業者の業者プロモーション情報から、選別種類が時刻および場所のデータを抽出してもよい。例えば、前記選択結果において、「ハッピー午後（１４：００−１８：００）」、「賑やか晩（１８：００−２２：００）」、「盛り上がる夜中（２２：００−０２：００）」というカテゴリに属する業者プロモーション情報から、選別モジュール２０３は、その選別種類が場所のデータを抽出し、業者プロモーション情報に対応する場所と現在通信場所とを比較することで、各業者プロモーション情報と現在通信場所との距離を取得する。さらに、設定された距離閾値に基づいて業者プロモーション情報を選別してもよい。
【００５７】
また、選別モジュール２０３は、当該移動端末の番号を選別種類としてもよい。例えば、当該移動端末の番号に基づいて、当該移動端末でダウンロードした業者プロモーション情報を検索する。通信情報に関連する対象業者にはダウンロードした業者プロモーション情報がない場合、当該移動端末でダウンロードした業者プロモーション情報と同じ分類を有するその他の対象業者を優先的に選ぶ。例えば、ユーザが好楽適の電話に掛けている場合、好楽適には、対応するキャンペーンがなく、また、選別モジュール２０３は、ユーザが麦楽適の割引券をダウンロードしたことを検出し、現在の時間帯に麦楽適にキャンペーンがあり、よって、たとえ同じ種別の銭櫃にもキャンペーンがあったとしても、選別モジュール２０３は、麦楽適の割引券情報を選択し、または、整列中に麦楽適の割引情報に高い重みを付ける。
【００５８】
さらに、ステップＳ３には、以下のものを含んでもよい。関連する対象業者に基づいて関連する業者プロモーション情報を選択し、選別種類のデータに基づいて、業者プロモーション情報を整列する。例えば、現在通信時刻からの時間の短い順で、これらの業者プロモーション情報を整列する。または、距離に基づいて、選択した業者プロモーション情報を整列する。
【００５９】
例えば、ユーザがビリヤードルームの電話番号に掛けていた場合、選別モジュール２０３は、データベースにて５つのビリヤードルームおよびそのキャンペーン情報を見つけて、これらの５つのビリヤードルームのＧＰＳ情報とユーザ現在のＧＰＳ情報とによって、これらの５つのビリヤードルームとユーザとの距離が１ｋｍ、２ｋｍ、３ｋｍ、４ｋｍ、５ｋｍであることを知った。システムにて予め設定された距離閾値が３ｋｍである場合、最後の２つが距離閾値を超えたため、無視され、最初の３つがユーザとの距離の近い順で整列される。
【００６０】
ここで、業者プロモーション情報を整列することには、以下のものが含まれている。選別種類のデータと通信補助情報とを比較し、比較結果によって、業者プロモーション情報の異なる重みを取得する。各業者プロモーション情報に対応する総重みを計算し、総重みに基づいて業者プロモーション情報を整列する。例えば、各業者プロモーション情報の異なる選別種類に対応する重みを取得し、加重平均の方法によって各業者プロモーション情報の総重みを計算して、計算結果によって、業者プロモーション情報を整列する。
【００６１】
具体的には、業者プロモーション情報の異なる重みを取得するには、以下の１つまたは複数の方法を含んでもよい。各前記業者プロモーション情報がデータベースにおけるすべてのユーザの総ダウンロード量に基づいて重みを取得する。または、各前記業者プロモーション情報の本移動端末のダウンロード量履歴に基づいて重みを取得する。または、各前記業者プロモーション情報のデータベースにおけるおすすめ係数に基づいて重みを取得する。または、各前記業者プロモーション情報の時間情報と現在時刻との時間間隔に基づいて重みを取得する。または、各前記業者プロモーション情報の場所情報と現在場所との距離に基づいて重みを取得する。または、移動端末のその他のダウンロード履歴情報に基づいて重みを取得する。
【００６２】
例えば、デフォルトとして、すべてのユーザのダウンロード総量に基づいて整列し、選別モジュール２０３は、すべてのユーザのダウンロード総量の回数に基づいて、各業者プロモーション情報の重みを取得する。さらに、ユーザはその移動端末に個人ユーザダウンロード量閾値を設定してもよい。例えば、個人ユーザダウンロード量閾値は２０であり、すなわち、２０回よりも少ない場合には無視される。選別モジュール２０３は、業者プロモーション情報を、すべてのユーザのダウンロード総量の高い順で整列し、または、閾値を超えた業者プロモーション情報を整列する。１つの実施形態において、ユーザの通話履歴には、ガソリンスタンドの電話番号があり、業者プロモーション情報処理装置１２０は、前記の流れに基づいて、当該電話番号に関連する関連対象業者（例えば、ガソリンスタンドＡ、ガソリンスタンドＢ、ガソリンスタンドＤ、ガソリンスタンドＩ、ガソリンスタンドＪ、ガソリンスタンドＫ、ガソリンスタンドＬ、ガソリンスタンドＷ、ガソリンスタンドＺ）を取得する。続いて、業者プロモーション情報処理装置１２０は、これらの関連する対象業者の業者プロモーション情報（例えば、ガソリンチケットなど）をフィルタリングして選別する。１つの具体的な実施例において、業者プロモーション情報処理装置１２０は、ユーザのダウンロード総量に基づいて整列し、個人ユーザのダウンロード量閾値に基づいてフィルタリングし、順に、ガソリンスタンドＩ、ガソリンスタンドＪ、ガソリンスタンドＫ、ガソリンスタンドＬに対応する業者プロモーション情報を取得する。ガソリンスタンドＬは、ユーザがよく使うガソリンスタンドであり、ユーザは、ガソリンスタンドＬの業者プロモーション情報を２５回ダウンロードしたことがあるから、当該移動端末のダウンロード履歴に基づいて、業者プロモーション情報処理装置１２０は、取得した業者プロモーション情報の順位を改めて調整し、調整した業者プロモーション情報の並び順は、ガソリンスタンドＬ、ガソリンスタンドＩ、ガソリンスタンドＪ、ガソリンスタンドＫである。もちろん、ユーザは、ガソリンスタンドＬの業者プロモーション情報を２５回ダウンロードし、ガソリンスタンドＫの業者プロモーション情報を２２回ダウンロードした場合、業者プロモーション情報処理装置１２０は、取得した対応する業者プロモーション情報の並び順を改めて調整し、ガソリンスタンドＬ、ガソリンスタンドＫ、ガソリンスタンドＩ、ガソリンスタンドＪの順であってもよい。
【００６３】
その他の実施形態において、前記通信情報の属性に基づいて、前記業者プロモーション情報の優先順位を調整してもよい。例えば、前記通信情報はユーザが入力しているときに得られた場合、ユーザがダイヤル画面にて番号を入力するときに、通常当該対象業者に関連する操作をするためであることを考え、業者プロモーション情報における対象サービス項目の優先順位を上げる。よって、ユーザがまだ通話していないときに、ユーザに関連操作をするサービス入口、サービス情報メニューなどを提供し、ユーザが入力した番号に掛けなくても、これらの対象サービス項目によって、対応する情報を取得したり、対応する操作をしたりすることができ、コミュニケーションの効率を大幅に向上させた。
【００６４】
なお、選別モジュール２０３は、移動端末の番号に基づいて、ユーザのオリジナルデータを収集し、ユーザのオリジナルデータを分析することで、異なるユーザに対する異なる重み体系を取得してもよい。具体的には、例えば、ユーザ行動履歴、ユーザ好み、ユーザの個人情報などのデータを分析し、各ユーザに対する異なる重みを取得してもよい。例えば、ユーザ行動履歴を分析することで、ユーザダウンロード履歴における場所属性を抽出して、ユーザがダウンロードした割引券の多くは東城にあり、西城ではないことを見出し、よって、ユーザに割引券を送信する場合、東城の業者を優先的に考慮する。また、例えば、ユーザ好みを分析し、ユーザダウンロード回数を統計することで、ユーザがダウンロードした飲食類の割引券は日本料理が韓国料理より多いことを見出し、よって、日本料理と韓国料理とは通常同じ種別に属するが、ユーザに割引券を送信するとき、日本料理を優先的に考慮する。また、例えば、ユーザ行動履歴を分析することで、ユーザの性別、年齢帯などの個人情報を推測し、業者プロモーション情報を整列するとき、推測した内容に合う業者プロモーション情報を優先的に考慮する。
【００６５】
ステップＳ４において、前記選択または整列後の業者プロモーション情報を移動端末にフィードバックする。ここで、フィードバックモジュール２０４は、フィードバック操作を実行する。１つの実施形態において、フィードバックモジュール２０４は、前記選択または整列後の業者プロモーション情報を設定された順位で、図、文字または音声で、直接移動端末にフィードバックする。その他の実施形態において、フィードバックモジュール２０４は、前記通信情報の属性に基づいて、フィードバックモードをマッチングし、前記フィードバックモードに基づいて、選択または整列後の業者プロモーション情報を、移動端末にフィードバックする。
【００６６】
具体的には、前記通信情報が入力または接続または通話中に取得された場合、フィードバックモジュール２０４は、少なくとも１つの前記業者プロモーション情報を、メッセージボックスで、前記移動端末の画面上に表示させる。例えば、図３に示すように、ユーザが対象業者「中国移動通信」と通話している間に、フィードバックモジュール２０４は、当該対象業者の業者プロモーション情報を、メッセージボックスで、直接通話画面に表示させ、ユーザは、当該メッセージボックスをクリックすることで、当該業者プロモーション情報を閲覧したり、対応する操作を実行させたりすることができる。または、図５に示すように、前記通信情報が通話履歴から取得された場合、フィードバックモジュール２０４は、対応する通話履歴項目に対してマークする。例えば、図５において、「中国移動通信」項目と「ケンタッキー宅急便」項目の右側には、「割」とのマークがあり、当該通話履歴には、少なくとも１つの対応する前記業者プロモーション情報があることを示し、前記マークを選択した場合、さらに、前記業者プロモーション情報が表示される。例えば、図５において、「中国移動通信」項目における「割」とのマークをクリックすると、対応する業者プロモーション情報をポップアップボックスやプルダウンメニュー／リストなどでユーザに表示させる。または、例えば図４に示す詳細画面に遷移してもよい。または、前記通信情報が通話履歴から取得された場合、フィードバックモジュール２０４は、リストなどで、前記業者プロモーション情報を、対応する通話履歴項目の箇所に表示させる。又は、前記通信情報が業者連絡先詳細から取得された場合、フィードバックモジュール２０４は、メニューで、少なくとも１つの前記関連する業者プロモーション情報を表示させる。図４に示すように、業者プロモーション情報は、リストまたは図、文字で当該詳細画面に表示され、ユーザに閲覧または操作してもらってもよい。または、前記通信情報はユーザが現在入力しているものである場合、例えば、図１０に示すように、フィードバックモジュール２０４は、メニューまたはリストで、少なくとも１つの前記関連する業者プロモーション情報を表示させる。
【００６７】
図３に示すように、ユーザが現在通話中である場合、通話画面のフォーカスが多いのはよくなく、かつユーザが多くの情報を閲覧することは不都合であることを考慮して、メッセージボックスをポップアップすることで、業者プロモーション情報を通話画面に表示させ、また、１つの業者プロモーション情報のみを表示する。例えば、重みが一番高い１つの業者プロモーション情報のみを表示する。
【００６８】
図４に示すように、ユーザが連絡先詳細を閲覧する場合、通常より多くの情報を閲覧する暇がある。また、連絡先詳細画面には、より大きいなスペースがある。よって、メニューリストで業者プロモーション情報を連絡先詳細画面に提示し、通常複数の業者プロモーション情報を用いてもよい。同様に、図１０に示すように、ユーザがダイヤル画面において入力している場合、メニューまたはリストで業者プロモーション情報を、ダイヤル画面に表示してもよい。
【００６９】
図５に示すように、マークで通話履歴に対応する項目の一端側に、当該番号の関連業者には業者プロモーション情報が存在することを示す。また、図４に示すように、ユーザが当該項目をクリックすると、連絡先詳細画面に遷移し、ユーザは、より多くの業者プロモーション情報またはある業者プロモーション情報の詳細を調べることができる。
【００７０】
また、例えば、音声通知または警告音またはその他のマルチメディア形式で、業者プロモーション情報をフィードバックしてもよい。よって、さまざまなフィードバック形式を提供し、フィードバックした業者プロモーション情報をより多くのタイプの人々に適用できる。
【００７１】
ある実施形態において、ステップＳ４には、さらに、前記関連する対象業者を同時にフィードバックすることを含んでもよい。ここで、前記対象業者は、集中して表示してもよい。例えば、すべての対象業者は前記業者プロモーション情報より優先的に表示される。または、前記対象業者は、その関連する業者プロモーション情報と対応して表示してもよい。
【００７２】
ある実施形態において、さらに、ステップＳ４には、前記通信情報とマッチングする連絡先を同時にフィードバックすることを含んでもよい。ここで、前記マッチングする連絡先は、対象業者または業者プロモーション情報よりも優先的に表示してもよい。
【００７３】
ある実施形態において、対象業者または連絡先または業者プロモーション情報のうち少なくても２つを同時に表示する場合、ステップＳ４には、さらに、所定の表示形式で表示することを含んでもよい。例えば、表示する対象業者または連絡先または業者プロモーション情報に分割線を設け、分割の効果を奏する。または、異なるフォント、カラー、書式で対象業者または連絡先または業者プロモーション情報を表示する。
【００７４】
その他の実施形態において、本発明は、さらに、ユーザが当該業者プロモーション情報を選択するとき、当該業者プロモーション情報に対応する電話番号に掛けることを含んでもよい。
【００７５】
具体的には、図８に示すように、ユーザが当該業者プロモーション情報を選択した場合、業者プロモーション情報処理装置１２０は、当該業者プロモーション情報に対応する電話番号を抽出し、現在通話状態であるか否かを判断する。現在通話状態ではない場合、当該業者プロモーション情報に対応する電話番号に掛ける。現在通話状態である場合、抽出した電話番号と現在通話中の電話番号とを比較し、同じであれば、いずれの動作もせず、異なれば、現在の通話を切断し、抽出した電話番号に掛ける。
【００７６】
その他の実施形態において、本発明には、さらに、ユーザが当該業者プロモーション情報を選択した場合、当該業者プロモーション情報に対応する操作を実行することを含んでもよい。例えば、当該業者プロモーション情報のリンクにアクセスして、対応する画面を表示するなどである。
【００７７】
ある実施形態において、本発明には、さらに、ユーザが対象業者を選択した場合、対象業者の電話番号に掛けたり、対象業者のホームページにアクセスしたり、またはインタラクティブな画面を表示したりなどの指令を実行することを含んでもよい。
【００７８】
図１２に示すように、本発明に係る移動端末に業者プロモーション情報を発信する方法のその他の実施形態には、以下のステップを含んでもよい。
【００７９】
ステップＳ１１において、通信情報を取得し、前記通信情報は、データベースにおける少なくとも１つの対象業者または業者プロモーション情報に関連付けられている。ある実施形態において、ステップＳ１１において、さらに、ユーザの入力または移動端末の通話プロセスパラメーターを検出し、対応する通信情報を取得する。例えば、ユーザの入力を検出し、ユーザが入力した文字列を取得して分析し、対応する数字またはテキスト文字列を取得する。または、インターフェース関数TelephonyManagerまたは関数PhoneStateListenerを検出することで、現在掛けている電話番号を取得する。その他の実施形態において、ステップＳ１１には、さらに、ユーザが入力するときのキーボードレイアウトを取得する。例えば、入力時に採用されたキーボードレイアウトはフルキーボードまたはダイヤルキーボードである。
【００８０】
ステップＳ１２において、前記通信情報に基づいて、対象業者または業者プロモーション情報から検索し、前記通信情報と関連する対象業者または関連する業者プロモーション情報を取得する。ここで、前記通信情報と関連する対象業者は、対応する種類のデータが前記通信情報と同じ対象業者を含んでもよいし、前記対象業者と同じ分類に属する対象業者を含んでもよい。前記関連する業者プロモーション情報は、含んでもよい。
【００８１】
ある実施形態において、対象業者または業者プロモーション情報から、前記通信情報と関連する種類のデータを抽出し、抽出したデータを前記通信情報と比較し、比較結果に基づいて、前記通信情報と関連する対象業者または業者プロモーション情報を取得する。
【００８２】
ある実施形態において、通信情報に基づいて、業者対象または業者プロモーション情報の各種類データから検索してもよい。例えば、通信情報を対象業者または業者プロモーション情報の各種類のデータと比較し、対応する比較結果を取得する。
【００８３】
ステップＳ１２において、対象業者を取得した場合、ステップＳ１３に進み、さらに関連する業者プロモーション情報を取得する。
【００８４】
１つの実施形態において、前記関連する対象業者の分類に基づいて、対応する業者プロモーション情報を取得する。例えば、図１１に示すように、業者プロモーション情報処理装置１２０が関連する対象業者「ヒルトン」を取得した後、さらに当該対象業者の分類が「ホテル」、「旅行」、「出張」であることを取得する。業者プロモーション情報処理装置１２０は、これらの分類に基づいて、関連する業者プロモーション情報を取得する。例えば、サービス入口「ホテルを予約する」、サービス入口「タクシーを呼ぶ」、サービス入口「レンタカー」、サービス入口「代わり運転」、サービス入口「フライトスケジュール検索」、サービス情報メニュー「近くの駐車場」、サービス情報メニュー「列車時刻」などである。
【００８５】
ある実施形態において、前記関連する対象業者のその他の種類のデータに基づいて、対応する業者プロモーション情報を取得する。例えば、通信情報を取得すると、当該通信情報と対象業者の電話番号とをマッチングし、関連する対象業者を取得して、これらの関連する対象業者に基づいて対応する業者プロモーション情報を取得する。そして、対象業者の電話番号に基づいて検索し、関連する業者プロモーション情報を取得する。ここで、これらの関連する業者プロモーション情報の関連項目のサブ種類データには、当該対象業者の電話番号を含んでもよい。
【００８６】
ステップＳ１２またはステップＳ１３にて業者プロモーション情報を取得すると、ステップＳ１４を実行させ、通信補助情報に基づいて前記業者プロモーション情報を選別・フィルタリングまたは整列する。例えば、業者プロモーション情報処理装置１２０は、「現在の通信場所が空港である」ことを取得すると、サービス情報メニュー「列車時刻」を削除し、または、サービス情報メニュー「列車時刻」の優先順位を下げる。また、例えば、業者プロモーション情報処理装置１２０は、「当該移動端末がサービス入口「タクシーを呼ぶ」を利用したことがある」ことを取得すると、サービス入口「代わり運転」、サービス情報メニュー「近くの駐車場」を削除し、または、これらの業者プロモーション情報の優先順位を下げる。
【００８７】
また、ステップＳ１４には、前記業者プロモーション情報を整列することを含んでもよい。例えば、前記通信補助情報に基づいて、各業者プロモーション情報を整列してもよい。１つの実施形態において、通信補助情報と前記業者プロモーション情報の選別種類データと比較し、前記比較結果に基づいて、前記業者プロモーション情報の優先順位を調整してもよい。例えば、前記比較結果に基づいて対応する重みを計算してもよい。ある実施形態において、ユーザのオリジナルデータに基づいて、前記業者プロモーション情報の優先順位を調整してもよい。例えば、ユーザのオリジナルデータに基づいて、異なるユーザに対する異なる重み体系を取得し、よって、重み計算の方法で前記業者プロモーション情報の優先順位の調整を実行してもよい。
【００８８】
ある実施形態において、前記通信情報の属性に基づいて前記業者プロモーション情報の優先順位を調整してもよい。例えば、前記通信情報がユーザ入力時に取得されたものである場合、業者プロモーション情報における対象サービス項目を優先的にフィードバックし、よって、通話の回数を減らし、コミュニケーションコストを下げ、コミュニケーション効率を向上する。
【００８９】
ステップＳ１５において、前記選択または整列後の業者プロモーション情報を移動端末にフィードバックする。
【００９０】
ある実施形態において、ステップＳ１５には、同時に関連する業者を移動端末にフィードバックすることを含んでもよい。ある実施形態において、ステップＳ１５には、同時に前記通信情報とマッチングする連絡先を移動端末にフィードバックすることを含んでもよい。
【００９１】
図１３に示すように、本発明に係る移動端末に業者プロモーション情報を発信する方法のその他の実施形態において、以下のステップを含む。
【００９２】
ステップＳ２１において、通信情報を取得する。前記通信情報は、通信操作中に係る電話番号またはテキスト文字列である。
【００９３】
ある実施形態において、前記通信情報は電話番号である。例えば、ユーザが入力している一部または全部の電話番号、通話履歴における１つまたは複数の番号、現在通話中のある電話番号、ユーザが閲覧中のある連絡先番号などを含んでもよい。具体的には、前記通信情報は、業者プロモーション情報処理装置１２０によって、ユーザ入力を検出することで、または、移動端末１１０の通話プロセスパラメーターを検出することで取得されてもよい。
【００９４】
ステップＳ２２において、前記通信情報に基づいて、業者プロモーション情報から検索し、前記業者プロモーション情報の関連種類のデータと前記通信情報とがマッチングしている場合、前記業者プロモーション情報は、関連する業者プロモーション情報である。
【００９５】
ある実施形態において、業者プロモーション情報の関連項目種類のデータから、前記通信情報を含んでいるか否かを検索してもよい。前記通信情報を含んでいる場合、当該業者プロモーション情報は、関連する業者プロモーション情報である。
【００９６】
ある実施形態において、ステップＳ２２には、移動端末の通信補助情報に基づいて、関連する業者プロモーション情報を選別およびフィルタリングすることを含んでもよい。ある実施形態において、前記業者プロモーション情報のうち、通信補助情報と同じまたは類似する選別種類のデータを抽出し、通信補助情報と１つずつ比較する。そして、抽出したデータと通信補助情報との差を計算し、当該差と設定された閾値とを比較して、選別およびフィルタリングを実行させる。または、抽出したデータと通信補助情報との比較結果に基づいて、対応する業者プロモーション情報の重みを取得し、対応する重みを計算することで、選別およびフィルタリングを実行させる。
【００９７】
ステップＳ２３において、前記関連する業者プロモーション情報をユーザにフィードバックする。
【００９８】
前記関連する対象業者または関連する業者プロモーション情報を検索または取得することについては、業者プロモーション情報処理装置１２０によって、通信情報を取得する度に自動的に実行させてもよいし、ユーザの設定された操作に基づいて実行させてもよい。
【００９９】
例えば、ある実施形態において、ユーザが電話番号を入力すると、業者プロモーション情報処理装置１２０は、ユーザが入力した文字列を検出し、通信情報を取得する。ユーザが通話キーをクリックすると、または、通話プロセスが起動されると、業者プロモーション情報処理装置１２０に、関連する対象業者または関連する業者プロモーション情報を検索または取得させる。また、例えば、ユーザが通話を切断すると、切断操作または通話プロセスの終了は、関連する対象業者または関連する業者プロモーション情報の検索または取得を実行させる。
【０１００】
ある実施形態において、ユーザが電話番号を入力しているときに、ユーザが１つの文字を入力する度に、業者プロモーション情報処理装置１２０は、すでに入力したすべての文字を更新し、当該更新した文字列を更新した通信情報とし、関連する対象業者または業者プロモーション情報を検索または取得する。ある実施形態において、業者プロモーション情報処理装置１２０は、前回入力した文字列を通信情報として、当該通信情報に応じて対象業者または業者プロモーション情報を検索または取得し、新規追加の文字がある場合、前回の検索または取得した結果に基づいて、現在の新規追加の文字によってフィルタリングし、現在の入力内容と関連する対象業者または業者プロモーション情報を取得する。
【０１０１】
また、関連する対象業者または関連する業者プロモーション情報を取得すると、これらの関連する対象業者または関連する業者プロモーション情報をフィードバックすることは、ユーザの設定された操作に基づいて実行させてもよい。例えば、ユーザが電話に掛けるとき、業者プロモーション情報処理装置１２０は、現在通話中の電話番号に基づいて、関連する対象業者または業者プロモーション情報を検索および取得し、ユーザが切断操作を実行したまたはその他の設定された操作を実行したことを検出した場合、取得した関連する対象業者または関連する業者プロモーション情報をユーザにフィードバックする。また、例えば、電話番号の入力が終わり、通話キーに対するクリック操作があったことを検出した場合、業者プロモーション情報処理装置１２０は、通話プロセスを起動する前に、取得した関連する対象業者または関連する業者プロモーション情報を優先的にユーザにフィードバックする。
【０１０２】
以上のことから、従来技術に比べて、本発明は、ユーザが掛けているまたは受けている業者の電話番号、または、掛けていたまたは受けていた業者の電話番号を有効に活用し、当該電話番号に関連する業者プロモーション情報を的確に発信し、業者プロモーション情報発信の正確性を向上させた。また、ユーザの観点から、操作の複雑さを増やさず、検索およびダウンロード効率を大幅に向上させた。
【０１０３】
一方、本発明は、ユーザが移動端末を利用して通話するときのさまざまなシーンを考慮し、異なる複数のフィードバックモードを設定し、対応する表示方法および表示個数で業者プロモーション情報をフィードバックし、よって、ユーザは、業者との通話と同時に直接業者のプロモーション情報を閲覧することができ、コミュニケーションの効率を向上させた。
【０１０４】
以上、本発明の具体的な実施例を説明した。なお、理解されたいのは、本発明は、前記特定の実施形態に限定されず、当業者は、特許請求の範囲において、各種の変形または修正が可能であり、それらも本発明の実質的な内容に含まれる。
【図１】
0006550074.tif 000002
【図２】
0006550074.tif 000003
【図３】
0006550074.tif 000004
【図４】
0006550074.tif 000005
【図５】
0006550074.tif 000006
【図６】
0006550074.tif 000007
【図７】
0006550074.tif 000008
【図８】
0006550074.tif 000009
【図９】
0006550074.tif 000010
【図１０】
0006550074.tif 000011
【図１１】
0006550074.tif 000012
【図１２】
0006550074.tif 000013
【図１３】
0006550074.tif 000014